(57)【要約】      （修正有）【課題】油排出が簡単、且つ迅速に行われる油排出が簡単なバーナを提供する。【解決手段】上面が開口形成され、中央に燃焼プレートが備えられ、相互対向される片側上面と他側上面の高さが異なるように形成されるバーナ本体１００；燃焼プレートから発生される熱を用いて、食べ物を調理時に発生される油を排出できるように油排出口２１０が片側に形成され、バーナ本体の上面に安着され、バーナ本体の片側上面に安着される片側支持部材２２０とバーナ本体の他側上面に安着される他側支持部材の高さが異なるように形成され、油排出口側に傾くように配置される食べ物料理部；を含んで構成されることで、食べ物を調理時に発生される油を簡単、且つ迅速に排出することができるだけでなく、バーナを収納時に、バーナが占める空間を最小化し、簡単に収納することができる効果がある。【選択図】図２
2018169152.tif 000002
【特許請求の範囲】
【請求項１】
上面が開口形成され、中央に燃焼プレートが備えられ、相互対向される片側上面と他側上面の高さが異なるように形成されるバーナ本体；
前記燃焼プレートから発生される熱を用いて、食べ物を調理時に発生される油を排出できるように油排出口が片側に形成され、前記バーナ本体の上面に安着され、前記バーナ本体の片側上面に安着される片側支持部材と前記バーナ本体の他側上面に安着される他側支持部材との高さが異なるように形成され、前記油排出口側に傾くように配置される食べ物料理部；
を含むことを特徴とする油排出が簡単なバーナ。
【請求項２】
前記片側支持部材と前記他側支持部材は、前記バーナ本体の片側上面に前記食べ物料理部の他側支持部材が安着され、前記バーナ本体の他側上面に前記食べ物料理部の片側支持部材が安着時に、前記バーナ本体に対して、前記食べ物料理部は平坦に配置される長さを有するように形成されたことを特徴とする請求項１に記載の油排出が簡単なバーナ。
【請求項３】
前記片側支持部材は、前記食べ物料理部の枠面下側に固定配置され、前記他側支持部材は、前記食べ物料理部の下面縁に固定配置されたことを特徴とする請求項２に記載の油排出が簡単なバーナ。
【請求項４】
前記食べ物料理部の下面片側には、前記食べ物料理部を底面に安着時に、前記食べ物料理部が前記底面に対して平行するように配置される前記他側支持部材と同じ高さを有する補助支持部材が備えられたことを特徴とする請求項３に記載の油排出が簡単なバーナ。
【請求項５】
前記油排出口は、前記食べ物料理部の高さ方向に沿って下側に延長形成され、前記バーナ本体の片側板面には、前記油排出口が挿入される挿入孔が貫通形成されたことを特徴とする請求項１〜４のいずれか１項に記載の油排出が簡単なバーナ。
【請求項６】
前記片側上面と前記他側上面との中央領域は、凹状に陥没形成され、前記片側支持部材と前記他側支持部材は、凹状に陥没形成された前記中央領域に挿入されて支持されることを特徴とする請求国５に記載の油排出が簡単なバーナ。
【請求項７】
前記油排出口の端部には、前記油排出口を選択的に開閉させることができる栓が更に備えられたことを特徴とする請求項５に記載の油排出が簡単なバーナ。
【発明の詳細な説明】
【技術分野】
【０００１】
本発明はバーナに関するものであり、さらに詳しくは、食べ物を料理時に発生される油を簡単、且つ迅速に排出できる油排出が簡単なバーナに関するものである。
【背景技術】
【０００２】
従来、野外で炊事用などとして使用してきた携帯用バーナは、ガスバーナと石油バーナとに分けられていた。ガスバーナは、別途のブタンガスを連結して使用した後、使用済みブタンガスを除去し、新しいブタンガスを連結すれば再使用が可能なので、使用が手軽であり、操作が簡単であることから、野外における炊事用としてたくさん使用されてきた。
【０００３】
図１は、従来のバーナを利用して油を排出し、食べ物を料理する構造を示した斜視図である。
【０００４】
図１に示されるように、従来のバーナは、燃焼部１１が備えられたバーナ本体１０と、バーナ本体１０の片側に連結され、前記燃焼部１１側にガスを供給するガス容器２０とを含んで構成されている。
【０００５】
バーナ本体１０は、内部に燃焼部１１を備えて、食べ物側に熱を加えて料理を可能にし、上面には支持部材１２が設けられ、食べ物が入った鍋やフライパンなどを安着できるようになっている。
【０００６】
また、バーナ本体１０の前方片側には、燃焼部１１から発生される熱量を調節する操作レバー１３が回転自在に設けられている。
【０００７】
このような従来バーナにおいて、料理時、油が多量発生する食べ物を料理する場合、料理と同時に前記油を外部に排出させなければならないので、バーナ本体１０の片側下面に別途の道具３０を支え、片側の高さが他側の高さよりも高いようにして使用した。
【０００８】
しかし、別途の道具３０を支えてバーナ本体１０が片側に傾くようにした状態で、食べ物を料理する方法は、油を片側に集めて排出することができるが、バーナ本体１０が安定的に支持されなく、火災のリスクがある。また、傾いたバーナ本体１０によって燃焼部１１から発生される熱が、ガス容器側に加えられる場合には、ガス爆発などの深刻な危険が存在するという問題があった。
【発明の概要】
【発明が解決しようとする課題】
【０００９】
前記したような課題を勘案して案出された本発明の目的は、食べ物を調理時に発生される油を簡単、且つ迅速に排出することができるだけでなく、バーナを収納時に、バーナが占める空間を最小化し、簡単に収納することができる油排出が簡単なバーナを提供することにある。
【課題を解決するための手段】
【００１０】
前述のような本発明の目的を達成するための油排出が簡単なバーナは、上面が開口形成され、中央に燃焼プレートが備えられ、相互対向される片側上面と他側上面の高さが異なるように形成されるバーナ本体；前記燃焼プレートから発生される熱を用いて、食べ物を調理時に発生される油を排出できるように油排出口が片側に形成され、前記バーナ本体の上面に安着され、前記バーナ本体の片側上面に安着される片側支持部材と前記バーナ本体の他側上面に安着される他側支持部材との高さが異なるように形成され、前記油排出口側に傾くように配置される食べ物料理部；を含むことを特徴とする。
【００１１】
ここで、前記片側支持部材と前記他側支持部材は、前記バーナ本体の片側上面に前記食べ物料理部の他側支持部材が安着され、前記バーナ本体の他側上面に前記食べ物料理部の片側支持部材が安着時に、前記バーナ本体に対して、前記食べ物料理部は平坦に配置される長さを有するように形成され得る。
【００１２】
また、前記片側支持部材は、前記食べ物料理部の枠面下側に固定配置され、前記他側支持部材は、前記食べ物料理部の下面縁に固定配置され得る。
【００１３】
さらに、前記食べ物料理部の下面片側には、前記食べ物料理部を底面に安着時に、前記食べ物料理部が前記底面に対して平行するように配置される前記他側支持部材と同じ高さを有する補助支持部材が備えられ得る。
【００１４】
また、前記油排出口は、前記食べ物料理部の高さ方向に沿って下側に延長形成され、前記バーナ本体の片側板面には、前記油排出口が挿入される挿入孔が貫通形成され得る。
さらに、前記片側上面と前記他側上面との中央領域は、凹状に陥没形成され、前記片側支持部材と前記他側支持部材は、凹状に陥没形成された前記中央領域に挿入されて支持され得る。
【００１５】
また、前記油排出口の端部には、前記油排出口を選択的に開閉させることができる栓が更に備えられ得る。
【発明の効果】
【００１６】
以上で説明するように、本発明に係る油排出が簡単なバーナは、食べ物を調理時に発生される油を簡単、且つ迅速に排出することができるだけでなく、バーナを収納時に、バーナが占める空間を最小化し、簡単に収納することができる効果がある。
【００１７】
また、食べ物を調理時に発生される油を排出するために、バーナ本体を傾けなくても、油の排出がスムーズに行われる構造を備えて、バーナを利用して安定的に食べ物の料理が可能であり、使用者に、より向上された便宜を提供する効果がある。
【図面の簡単な説明】
【００１８】
【図１】従来のバーナを利用して油を排出しながら、食べ物を料理する構造を示した斜視図である。
【図２】本発明の一実施例に係る油排出が簡単なバーナを利用した調理時の構造を示した斜視図である。
【図３】図２の油排出が簡単なバーナのバーナ本体と食べ物料理部とを分離して示した斜視図である。
【図４】図２の油排出が簡単なバーナの構造を示した縦断面図である。
【図５】本発明の一実施例に係る油排出が簡単なバーナを収納時の構造を示した斜視図である。
【図６】図５の油排出が簡単なバーナを収納時の構造を示した縦断面図である。
【図７】本発明の一実施例に係る油排出が簡単なバーナの食べ物料理部が底に設けられた構造を示した斜視図である。
【発明を実施するための形態】
【００１９】
以下、本発明の一実施例に係る油排出が簡単なバーナを添付された図面を参照して詳細に説明する。
【００２０】
図２は、本発明の一実施例に係る油排出が簡単なバーナを利用した調理時の構造を示した斜視図、図３は、図２の油排出が簡単なバーナのバーナ本体と食べ物料理部を分離して示した斜視図、図４は、図２の油排出が簡単なバーナの構造を示した縦断面図、図５は、本発明の一実施例に係る油排出が簡単なバーナを収納時の構造を示した斜視図、図６は、図５の油排出が簡単なバーナを収納時の構造を示した縦断面図、図７は、本発明の一実施例に係る油排出が簡単なバーナの食べ物料理部が底に設けられた構造を示した斜視図である。
【００２１】
前記図面に示されるように、本発明の一実施例に係る油排出が簡単なバーナは、上面が開口形成され、中央に燃焼プレート１１０が備えられ、相互対向される片側上面１２０と他側上面１３０との高さが異なるように形成されるバーナ本体１００と；前記燃焼プレート１１０から発生される熱を用いて、食べ物を調理時に発生される油を排出するできるように油排出口２１０が片側に形成され、前記バーナ本体１００の上面に安着され、前記バーナ本体１００の片側上面１２０に安着される片側支持部材２２０と前記バーナ本体の他側上面１３０に安着される他側支持部材２３０との高さが異なるように形成され、前記油排出口２１０側に傾くように配置される食べ物料理部２００を；含んで構成されている。
【００２２】
バーナ本体１００は、上面が開口形成され、その底部面の中央領域に熱源である燃焼プレート１１０が備えられ、開口された上面に食べ物料理部２００を安着させ、燃焼プレート１１０から発生される熱で食べ物料理部２００を加熱して、食べ物の料理を可能にする役割をする。
【００２３】
バーナ本体１００の内側周りの頂点と近接した領域には食べ物料理部２００を安着する平坦な上面が形成された片側上面１２０と他側上面１３０とが配置されている。
【００２４】
バーナ本体１００の片側上面１２０と他側上面１３０は異なる高さを有するように形成されており、本発明の一実施例に係る油排出が簡単なバーナの場合には、片側上面１２０の高さが他側上面１３０の高さより相対的に低い高さを有している。
【００２５】
バーナ本体１００に形成された片側上面１２０と他側上面１３０は、中央領域が凹状に陥没形成され、後記する片側支持部材２２０と他側支持部材２３０は、凹状の領域に挿入され、食べ物料理部２００がバーナ本体１００に安定的に安着される。
【００２６】
そして、バーナ本体１００の片側上面１２０間の中央には、食べ物料理部２００に備えられた油排出口２１０が挿入される挿入孔１４０が貫通形成されている。
【００２７】
一方、食べ物料理部２００は、料理しようとする食べ物を入れることができる収容部が備えられ、上面が開口形成された長方形の部材であり、バーナ本体１００の上面に固定され、燃焼プレート１１０から発生される熱源によって加熱され、収容部に受容された食べ物が料理される。
【００２８】
食べ物料理部２００の下面片側には、油排出口２１０が備えられており、油排出口２１０は、食べ物料理部２００の高さ方向に沿って下側に延長形成され、バーナ本体１００の片側板面には、貫通形成された挿入孔１４０に油排出口２１０が挿入されるようにすることが好ましい。
【００２９】
そして、油排出口２１０の端部には、油排出口２１０を選択的に開閉させる別途の栓２１１が備えられている。
【００３０】
このような食べ物料理部２００をバーナ本体１００の上面に安着時に、食べ物料理部２００を支持できるように、その下面に片側支持部材２２０と他側支持部材２３０が突出備えられている。
【００３１】
前記片側支持部材２２０と他側支持部材２３０は、それぞれバーナ本体１００の片側上面１２０と他側上面１３０の凹状の中央領域に挿入された状態で配置されることによって、食べ物料理部２００のより安定した支持を可能にする。
【００３２】
そして、片側支持部材２２０と他側支持部材２３０は、バーナ本体１００の片側上面１２０に食べ物料理部２００の他側支持部材２３０が安着され、バーナ本体１００の他側上面１３０に食べ物料理部２００の片側支持部材２２０が安着される場合、バーナ本体１００に対して、食べ物料理部２００が平坦に配置され得る長さを有するように形成されている。
【００３３】
また、片側支持部材２２０は、食べ物料理部２００の枠面下側に固定配置され、他側支持部材２３０は、食べ物料理部２００の下面縁に固定配置されるようにすることによって、食べ物料理部２００の下面を基準にして、突出する長さが、片側支持部材２２０が相対的に短く、他側支持部材２３０は相対的に長くなるようにすることが好ましい。
【００３４】
このような構成によって、食べ物を調理時に油を排出させる必要がある場合にはバーナ本体１００の片側上面１２０に片側支持部材２２０が安着され、他側上面１３０に他側支持部材２３０が安着され、食べ物料理部２００が傾くように配置することによって、油排出口２１０を介して油が速かに排出される。
【００３５】
そして、バーナを保管するか、食べ物を調理時に油を排出させる必要がない場合には、バーナ本体の片側上面１２０に他側支持部材２３０が安着されるようにし、他側上面１３０に片側支持部材２２０が安着されるようにし、食べ物料理部２００がバーナ本体１００に対して、平坦に配置されるようにした状態で食べ物の料理が行われるようにする。
【００３６】
図７に示されるように、食べ物料理部２００の下面片側には、食べ物料理部２００を底面に安着時に、食べ物料理部２００が前記底面に対して平行に配置されるように、他側支持部材２３０と同じ高さを有する補助支持部材２４０が備えられることが好ましい。
【００３７】
別途の補助支持部材２４０が食べ物料理部２００の下面片側に備えられることによって、食べ物料理部２００を利用した食べ物の料理が完了した後、食べ物料理部２００に入った食べ物を食べる時に、食べ物料理部２００をテーブルに平行した状態で配置することができる。
【００３８】
このような構成を有数ｒ本発明の一実施例に係る油排出が簡単なバーナの使用方法は、以下の通りである。
【００３９】
まず、図２及び図４に示されるように、食べ物を調理時に油を排出させる必要がある場合には、栓２１１を除去し、油排出口２１０が開放されるようにした状態でバーナ本体１００の片側上面１２０に片側支持部材２２０が安着されるようにし、他側上面１３０に他側支持部材２３０が安着されるようにし、食べ物料理部２００が傾くように配置されるようにする。
【００４０】
このような状態で、食べ物料理部２００に食べ物を入れ、燃焼プレート１１０から発生される熱を用いて、食べ物料理部２００を加熱して、食べ物が料理されるようにし、食べ物が料理されて発生される油は、傾いた食べ物料理部２００によって油排出口２１０を介して油が速かに排出され、食べ物が料理される。
【００４１】
そして、図５及び図６に示されるように、バーナを保管するか、食べ物を調理時に油を排出させる必要がない場合には、栓２１１をし、油排出口２１０が閉鎖されるようにした状態で、バーナ本体の片側上面１２０に他側支持部材２３０が安着されるようにし、他側上面１３０に片側支持部材２２０が安着されるようにし、食べ物料理部２００がバーナ本体１００に対して、平坦に配置されるようにする。
【００４２】
このような状態で、食べ物料理部２００に食べ物を入れ、燃焼プレート１１０から発生される熱を用いて、食べ物料理部２００を加熱して、食べ物が料理されるようにし、食べ物の料理が完了すれば、補助支持部材２４０を利用して食べ物料理部２００を食卓に平坦に安着させた後、食べ物を食べることができる。
【００４３】
以上は、本発明によって具現され得る好ましい実施例の一部について説明したものに過ぎなく、周知のように本発明の範囲は、前記実施例に限定されて解釈されず、前述した本発明の技術的思想とその根本を一緒にする技術的思想は、全て本発明の範囲に含まれる。
【符号の説明】
【００４４】
１００  バーナ本体
１１０  燃焼プレート
１２０  片側上面
１３０  他側上面
１４０  挿入孔
２００  食べ物料理部
２１０  油排出口
２２０  片側支持部材
２３０  他側支持部材
２４０  補助支持部材
【図１】
2018169152.tif 000003
【図２】
2018169152.tif 000004
【図３】
2018169152.tif 000005
【図４】
2018169152.tif 000006
【図５】
2018169152.tif 000007
【図６】
2018169152.tif 000008
【図７】
2018169152.tif 000009